(57)【要約】  衣類、布団などに付着した埃や髪の毛などのような異物を取り除くテープクリーナーに関し、特に、外側面に収容部が形成された中心軸を中心に回転する円筒状のローラーと、収容部に挿入可能に設置された固定部材（２１０）を有するとともに中心軸に嵌合される把持部と、ローラーの外側に装着されるテープと、を備え、固定部材を挿入して収容部の一地点に固定することにより、テープが切断された位置を容易に把握することができることを特徴とするテープクリーナーに関する。【選択図】図１
2015531262.tif 000002
【特許請求の範囲】
【請求項１】
外側面に収容部（１１１）が形成された中心軸（１１０）を中心に回転する円筒状のローラー（１００）と、
前記収容部（１１１）に挿入可能に取り付けられた固定部材（２１０）を有するとともに、前記中心軸（１１０）に嵌合される把持部（２００）と、
前記ローラー（１００）の外側に装着されるテープ（３００）と、を備え、
前記固定部材（２１０）を挿入して前記収容部（１１１）の一地点（１１１ａ）に固定することにより、前記テープ（３００）が切断された位置を容易に把握することができることを特徴とするテープクリーナー。
【請求項２】
前記収容部（１１１）は、前記中心軸（１１０）の外側面から内側に向けて削成されるとともに前記一地点（１１１ａ）に向かって上方に行くほど小さくなる楔状に形成され、前記固定部材（２１０）が前記一地点（１１１ａ）に固定されるように誘導することを特徴とする請求項１に記載のテープクリーナー。
【請求項３】
前記固定部材（２１０）は細長い棒状からなることを特徴とする請求項１に記載のテープクリーナー。
【請求項４】
前記一地点（１１１ａ）と同一線上に位置するとともに、前記ローラー（１００）の上端から外側面に沿って所定長さ切開されたガイド溝（１２０）が形成されることにより、前記テープ（３００）は前記ガイド溝（１２０）に沿って切断されて、使用後の切断が容易であることを特徴とする請求項１に記載のテープクリーナー。
【請求項５】
前記テープ（３００）には上端から外側面に沿って所定長さ切断された切断誘導溝（３１０）が形成されることにより、使用後の切断が容易であることを特徴とする請求項１に記載のテープクリーナー。
【請求項６】
前記テープ（３００）は所定間隔で形成された非粘着部（３２０）が前記一地点に位置するように巻回され、
前記非粘着部（３２０）の両端には切断線が形成されて、粘着面の露出及び切断が容易であることを特徴とする請求項１に記載のテープクリーナー。
【請求項７】
衣類、布団などに付着した埃や髪の毛などのような異物を取り除くテープクリーナーにおいて、
外側面に収容部が形成された中心軸を中心に回転する円筒状のローラーと、
前記収容部に挿入可能に取り付けられた固定部材（２１０）を有するとともに、前記中心軸に嵌合される把持部と、
前記ローラーの外側に装着されるテープと、を備え、
前記固定部材を挿入して前記収容部の一地点に固定することにより、テープが切断された位置を容易に把握することができることを特徴とするテープクリーナー。
【発明の詳細な説明】
【技術分野】
【０００１】
本発明は、衣類、布団などに付着した埃や髪の毛などのような異物を取り除くテープクリーナーに関し、特に、市販の一般的なテープを用いることができ、固定部材と上記固定部材が固定される収容部とが形成されてテープが切断された位置を容易に把握することができる、使用上の利便性が改善されたテープクリーナーに関する。
【背景技術】
【０００２】
一般に、衣類、布団、カーペット、マットレスなど、家庭や実生活で使用されている多くの製品の表面に付着した埃や髪の毛、糸屑などのような各種異物は、掃除や洗濯によって除去することが難しく、小さな異物を取り除くために掃除機や洗濯機を使うのは電気の無駄使いになるため、スコッチテープ（登録商標）や透明テープ（以下、「汎用テープ」という。）を利用する場合が多い。
【０００３】
このような汎用テープは、まず粘着面を露出させ、一定長さを引き出して固定させた後に使用し、ある程度使用して粘着面が本来の機能を果たさなくなった場合に該当部分を切り捨て、再び所定長さを引き出して使用する。
【０００４】
しかし、粘着面を露出させる過程で、前回切断された部分が粘着しているために位置を把握することが難しく、一定の長さを引き出して固定させる過程で、一回以上巻回され多量のテープが無駄使いされているのが実情である。また、異物が付着した部分を切断するために、その度切断道具が必要となって煩雑であり、不注意による怪我の恐れもあった。
【０００５】
一方、市場には多様なテープクリーナーとそれに装着される専用テープが販売されているが、汎用テープに比べて費用が高価であり、取替えのために全ての部品を分解しなければならなかったり、製品によっては定期的に洗浄・乾燥して用いなければならないという不便さがあった。
【先行技術文献】
【特許文献】
【０００６】
【特許文献１】韓国特許出願番号第１０−２００６−０１０５６８２号
【特許文献２】韓国特許出願番号第２０−１９９９−００２３４２９号
【特許文献３】韓国特許出願番号第２０−２００４−００２４３３３号
【発明の開示】
【発明が解決しようとする課題】
【０００７】
本発明は上記の問題点を解決するためになされたもので、ローラーの中心軸に形成された収容部に固定される固定部材を備えることにより、テープクリーナーを使用する際にテープが切断された位置を容易に把握することができるとともに、テープが所定位置で切断されるようにして、テープの無駄使いを減らすことができるテープクリーナーを提供することを目的とする。
【課題を解決するための手段】
【０００８】
上記の目的を達成するために、本発明にかかるテープクリーナーは、外側面に収容部が形成された中心軸を中心に回転する円筒状のローラーと、上記収容部に挿入可能に取り付けられた固定部材を有するとともに上記中心軸に嵌合される把持部と、上記ローラーの外側に装着されるテープと、を備えることを特徴とする。
【０００９】
また、上記収容部は、上記中心軸の外側面から内側に向けて削成されるとともに、上記一地点に向かって上方に行くほど小さくなる楔状に形成され、上記固定部材は細長い棒状に形成されることを特徴とする。
【００１０】
一方、上記テープは、上記一地点と同一線上に位置するとともに上記ローラーの上端から外側面に沿って所定長さ切開されて形成されたガイド溝を有することを特徴とする。また、上記テープは、所定間隔で形成された非粘着部が一地点に位置するように巻回され、上記非粘着部の両端には切断線が形成されることを特徴とする。
【００１１】
また、上記テープは粘着面が外部に露出するように積層されるが、上記粘着面には一地点に位置する所定長さの非粘着部が形成され、上記非粘着部の両端には切断線が形成されることを特徴とする。
【発明の効果】
【００１２】
本発明によれば、中心軸の外側面から内側に向けて削成されるとともに、一地点に向かって上方に行くほど小さくなる楔状の収容部が形成され、上記収容部に挿入可能に取り付けられた固定部材を備え、上記固定部材を挿入すると上記一地点に固定されるので、テープが切断された位置を容易に把握することができることは勿論、固定部材が一地点に固定されるように誘導されるので、使用上の利便性を向上させることができる。
【００１３】
また、固定部材は細長い棒状に形成されるので、テープが切断された位置をより正確に把握することができ、テープクリーナーを使用する際の固定部材の干渉を防止することができる。
【００１４】
さらに、ローラーにガイド溝を形成し、ローラーの外側に装着されるテープをガイド溝に沿って切断するか、又は、テープに切断誘導溝を形成し、テープを所定位置で切断することで、繰り返し用いる際に粘着面を容易に露出させることができるとともに、使用済みのテープを容易に除去することができる。加えて、テープの使用量を顕著に減らすことができるので経済的である。
【００１５】
一方、上記テープは所定間隔で形成された非粘着部が一地点に位置するように巻回され、上記非粘着部の両端には切断線が形成されて、本発明にかかるテープクリーナーを使用する際に粘着面を容易に露出させることができることは勿論、道具を用いなくても上記切断線に沿って容易に切断することができる。
【００１６】
また、粘着面が外部に露出するように巻回されたテープは、上記粘着面に所定長さの非粘着部が一地点に位置するように形成され、上記非粘着部の両端に形成された切断線を利用して容易に剥離することができ、露出したテープ面で掃除をし、掃除が終わった後には切断線を利用して容易に剥離することができる。
【図面の簡単な説明】
【００１７】
【図１】本発明の一実施形態にかかるテープクリーナーの全体構造を示す斜視図である。
【図２】本発明の一実施形態にかかるテープクリーナーに適用される中心軸を含んだ全体構造を示す斜視図である。
【図３】本発明の一実施形態にかかるテープクリーナーの構造を示す側断面図である。
【図４ａ】本発明の一実施形態にかかるテープクリーナーに適用される固定部材が収容部の一地点に固定される過程を示す例示図である。
【図４ｂ】本発明の一実施形態にかかるテープクリーナーに適用される固定部材が収容部の一地点に固定される過程を示す例示図である。
【図４ｃ】本発明の一実施形態にかかるテープクリーナーに適用される固定部材が収容部の一地点に固定される過程を示す例示図である。
【図４ｄ】本発明の一実施形態にかかるテープクリーナーに適用される固定部材が収容部の一地点に固定される過程を示す例示図である。
【図５】本発明の一実施形態にかかるテープクリーナーに適用されるガイド溝とそれに沿って切断されたテープの一例を示す斜視図である。
【図６】本発明の一実施形態にかかるテープクリーナーに適用されるテープを使用する過程を示す例示図である。
【図７】本発明の一実施形態にかかるテープクリーナーに適用されるガイド溝とそれに沿って切断されたテープの他の例を示す例示図である。
【図８】本発明の一実施形態にかかるテープクリーナーに適用されるテープに切断誘導溝が形成された状態を示す斜視図である。
【図９】本発明の一実施形態にかかるテープクリーナーに適用されるテープに非粘着部が形成された状態を示す斜視図である。
【発明を実施するための形態】
【００１８】
本発明では、外側面に収容部が形成された中心軸を中心に回転する円筒状のローラーと、収容部に挿入可能に取り付けられた固定部材２１０と、を備え、中心軸に嵌合される把持部と、ローラーの外側に装着されるテープと、を備え、固定部材を挿入し収容部の一地点に固定することによって、テープが切断された位置を容易に把握することができることを特徴とするテープクリーナーを提案する。
【００１９】
本発明の技術的範囲は以下で説明する実施形態に限定されるものではなく、本発明の技術的要旨を逸脱しない範囲内で当該技術分野において通常の知識を有するものによって多様に変形実施されることができる。
【００２０】
以下、本発明の一実施形態にかかるテープクリーナーについて、図１〜図９を参照して詳細に説明する。
【００２１】
本発明の一実施形態にかかるテープクリーナーは、図１に示すように、円筒状のローラー１００と、把持部２００と、ローラー１００の外側に装着されるテープ３００と、を備え、テープ３００は一般的に市場で販売されているスコッチテープ（登録商標）や透明テープを前提に説明するが、これに限定されるものではない。
【００２２】
ローラー１００は中央に形成された中心軸１１０を中心に回転し、ローラー１００の上端には固定突起が対応するように形成される。ローラー１００の外側にテープ３００を装着すると、固定突起がテープ３００の上端と接触し、これによってテープ３００の脱落を防止するとともに、ローラー１００と共に回転するよう固定される。また、テープ３００がローラー１００の外側に装着され、固定突起によって固定されているので、テープ３００を取り替える際には全ての部品を分解する必要がなく、取替えが容易であるという長所を備える。
【００２３】
一方、固定突起は、前述したように、ローラー１００の上端に形成されることができるが、これに限定されるものではなく、テープ３００を固定するように多様な形態で多様な位置に形成されることができ、その数も制限されない。
【００２４】
中心軸１１０は、ローラー１００の中心を基準として形成され、中心軸１１０の外側は、図２に示すように、ローラー１００より径の小さい円筒状に形成することができるが、これに限定されるものではなく、多様な形態で形成することができる。しかし、中心軸１１０には把持部２００が嵌合され、ローラー１００は把持部２００と独立して回転しなければならないので、中心軸１１０の内側は円筒状に形成されることが好ましい。
【００２５】
一方、汎用テープを使用する場合、異物を取り除き粘着力が低下したテープを切断した後、時間が経過してから再び使用する際に、切断された部分がどこに位置しているかを特定することが難しい。一般的にはテープを回しながら手の感覚によって切断された部分を探すことになるが、異物を取り除くために繰り返し使用する度にこのような手順を繰り返すことは非常に面倒である。
【００２６】
そこで、本実施形態にかかるテープクリーナーは、中心軸１１０の外側面に収容部１１１を形成し、把持部２００に収容部１１１に向けて挿入可能に固定部材２１０を取り付け、固定部材２１０を挿入すると固定部材２１０が収容部１１１の一地点１１１ａに固定されるようにして、前述の問題点を解決した。
【００２７】
テープ３００をローラー１００に装着すると、テープ３００の切断された部分が収容部１１１の一地点１１１ａと同一線上に配置される。ここで、一地点１１１ａとは、ローラー１００が把持部２００と独立して回転しないように、固定部材２１０が挿入されて固定される収容部１１１のある地点をいう。
【００２８】
テープ３００の粘着面が露出するように一回巻回して使用されるが、本実施形態にかかるテープクリーナーの使用前後に固定部材２１０を挿入して一地点１１１ａに固定すれば、ローラー１００に装着されたテープ３００は最初に切断された部分があった位置と同じ位置に固定される。
【００２９】
したがって、時間が経過してからテープ３００の切断された部分を探したい場合、または使用によって異物が付着し粘着力が低下したテープ３００を切断する場合、固定部材２１０を挿入して収容部１１１の一地点１１１ａに固定させることによって、いつも同じ位置に切断された部分が位置するようになる。このようにして、テープ３００の切断された位置を容易に把握することができ、使用上の利便性を向上させることができる。
【００３０】
一方、収容部１１１は固定部材２１０の形態に応じて多様な形態に形成することができ、中心軸１１０の外側面から内側に向けて削成され、収容部１１１の一地点１１１ａに向かって上方に行くほど小さくなる楔状に形成することができる。
【００３１】
このように、楔状の収容部１１１が形成されることによって、図２及び図３に示すように、一地点１１１ａに向けて上向きに傾斜した段差が形成される。この段差は、固定部材２１０が挿入された際に、収容部１１１の一地点１１１ａに固定されるように誘導する役割を果たす。
【００３２】
以下では、固定部材２１０が収容部１１１の一地点１１１ａに固定される過程を説明する。
【００３３】
本実施形態にかかるテープクリーナーを使用するためにテープ３００が切断された位置を把握しようとする場合、使用者は把持部２００に取り付けられた固定部材２１０を、図４ａ に示すように、収容部１１１に向けて押し上げて挿入すると、挿入された固定部材２１０は段差と接触する。
【００３４】
段差は、前述したように、収容部１１１の一地点１１１ａに向けて上向きに傾斜している。固定部材２１０を押し上げ続けると、図４ｂ 及び図４ｃ に示すように、固定部材２１０は段差と接触したまま一地点１１１ａに向けてなめらかに滑り、テープ３００の切断部分が固定部材２１０の同一線上に位置するようにローラー１００が回転する。
【００３５】
最終的に、固定部材２１０は、図４ｄ に示すように、一地点１１１ａに固定されて、これ以上移動することができなくなる。このとき、テープ３００が切断された部分は固定部材２１０、すなわち収容部１１１の一地点１１１ａと同じ位置に位置することになり、テープ３００が切断された位置を容易に把握することができる。
【００３６】
その後、本実施形態にかかるテープクリーナーを使用する時は、固定部材２１０が把持部２００の内部に位置するように押し下げられ、ローラー１００は固定部材２１０による引っ掛かりがなくなるため、把持部２００と独立して回転することができる。
【００３７】
一方、収容部１１１には、固定部材２１０が収容部１１１の一地点１１１ａに固定されずに脱落することを防止するため、図２に示すように、一地点１１１ａと同一線上に収容部１１１から突出して形成された支持突起をさらに備えることができる。
【００３８】
ローラー１００には上端から外側面に沿って所定長さ切開されたガイド溝１２０が形成されもよく、ガイド溝１２０は収容部１１１の一地点１１１ａと同一線上に位置することが好ましいが、これに限定されるものではない。ガイド溝１２０に沿ってテープ３００を切断することにより、テープ３００の粘着面を容易に露出させることができ、使用したテープを容易に除去することができる。
【００３９】
ガイド溝１２０は、図２及び図５に示すように、ローラー１００の上端から外側面に沿って所定長さ切開されて形成される。ガイド溝１２０をローラー１００の下端まで切開すると、テープ３００の粘着面を露出させて巻回することができなくなるため、ローラー１００の下端から上向きに所定間隔離隔した部分までのみを切開する必要がある。
【００４０】
また、ガイド溝１２０内にナイフのような切断道具を挿入することにより、ガイド溝１２０の形状にテープ３００を切断することができる。ガイド溝１２０は収容部１１１の一地点１１１ａと同一線上に位置するので、テープ３００をローラー１００に装着する際に切断部分がどこにあるかを考慮する必要がなくなる。これは、テープ３００をローラー１００に装着してからガイド溝１２０に沿って切断することにより、固定部材２１０が固定された位置でテープ３００を切断することになるからである。
【００４１】
さらに、本実施形態にかかるテープクリーナーを使用する前にガイド溝１２０に沿ってテープ３００を切断した場合、テープ３００が切断された部分に間隙が形成される。粘着力が低下したテープ３００を取り除く際にこの間隙に指を入れることで容易に切断することができ、ナイフやはさみ等の切断道具が必要なくなる。したがって、切断のために継続的に切断道具を使用しないので、使用上の利便性が向上し、切断道具の誤用によって起こりうる怪我を予め防止することができる。
【００４２】
また、ガイド溝１２０は、ローラー１００の外側面から見てガイド溝１２０の下部が緩やかな曲線をなすように、先端が鋭く形成されることができる。切断道具を用いてガイド溝１２０に沿って切断する場合、ガイド溝１２０の下部が緩やかな曲線をなすことによってテープ３００を容易に切断することができるので、切断作業の効率性を向上させることができる。
【００４３】
一方、次回の使用のためにテープ３００の粘着面を露出させ固定する過程において、テープ３００をたくさん引き出して一回以上巻回して固定すると、使用後のテープ３００を切断する際に実際に使用されていないテープ３００まで切断されて、多量のテープ３００が無駄使いされてしまう。
【００４４】
しかし、ガイド溝１２０によって切断されたテープ３００は、使用のためにテープ３００の粘着面を露出して巻回するとき、正確に一回だけ巻回し固定させることができる。ローラー１００の下端から所定間隔離隔して形成されたガイド溝１２０に沿ってテープ３００を切断し、これによって、使用されたテープ３００を除去する過程で、テープ３００の切断された部分に形成された間隙に指を入れて容易に切断することができる。ガイド溝１２０によって切断されない部分は斜めに切断することができる。
【００４５】
ガイド溝１２０に沿って切断されたテープ３００が使用される過程を具体的に説明すれば、図６に示すように、斜めに切断された部分を含む粘着面を露出させるように一回巻回してから、斜めに切断された部分を粘着面に貼り付けて固定する。異物を取り除いて粘着力が低下したテープ３００は、テープ３００が切断された部分に形成された間隙に指を入れて斜線に沿って斜めに切断することにより除去する。これにより斜めに切断された部分は継続的に残り、その後は上記で説明した通りに繰り返して使用すればよい。
【００４６】
このように、テープ３００を正確に一回だけ巻回して使用するので、不必要なテープ３００を過度に巻回することを防止し、テープ３００の無駄使いを防止することができる。また、同じ位置で切断されるため、使用済みのテープ３００を容易に除去することもできる。
【００４７】
また、ガイド溝１２０は、図７に示すように、ローラー１００の中心に対して垂直ではなく斜めに形成されることができる。このように斜めに形成されたガイド溝１２０に沿って切断すれば、テープ３００の切断された部分も斜めに形成される。この場合、ローラー１００の中心に対して垂直に形成されたガイド溝１２０に沿って切断されたテープ３００に比べて、粘着面を容易に露出させることができるという長所がある。
【００４８】
把持部２００は、すでに説明したように中心軸１１０に嵌め込まれ、図面では円筒状をなしているが、これに限定されず、本実施形態にかかるテープクリーナーを使用するのに不都合のない握りやすい形態で形成されることができる。
【００４９】
また、把持部２００は、収容部１１１に挿入可能に取り付けられた固定部材２１０を備える。固定部材２１０は収容部１１１の一地点１１１ａに固定されることができる多様な形態で製作されることができ、収容部１１１に挿入された後に元の位置に復帰しやすくなるよう、スプリングのような弾性を有する部材を備えてもよい。
【００５０】
固定部材２１０は、収容部１１１の一地点１１１ａに固定されるが、あまりに大きい場合は本実施形態にかかるテープクリーナーを使用する際に引っかかるおそれがあるため、細長い棒状に形成されることが好ましい。固定部材２１０の末端が収容部１１１に向けて緩い曲線をなすことによって、段差に接触しながら移動する際の摩擦を最小限にすることができる。
【００５１】
また、固定部材２１０が細長い棒状からなることにより、一地点１１１ａに強固かつ正確に固定され、テープ３００が切断された位置をより正確に把握することができる。
【００５２】
テープ３００は、ローラー１００の外側に装着され、汎用テープを用いることができるので、専用テープを用いなければならない従来のテープクリーナーに比べて価格が低廉である。ローラー１００にガイド溝１２０が形成されている場合、汎用テープをガイド溝１２０に沿って切断することによって専用テープのような機能を果たすことができることは勿論、ガイド溝１２０がなくても別途にテープ３００を切断して同じ役割を果たすことができる。
【００５３】
これについて説明すれば、テープ３００の上端からガイド溝１２０に沿って切断するのと同じように、テープ３００を外側面に沿って所定長さ切断することによって切断誘導溝３１０を形成することができる。切断誘導溝３１０が形成されたテープ３００は図８に示す通りである。
【００５４】
したがって、ガイド溝１２０が形成されていなくても、切断誘導溝３１０が形成されたテープ３００をローラー１００に装着して使用することによって、テープ３００は所定位置で切断され、繰り返し使用する際に粘着面を容易に露出させることができる。また、使用済みのテープ３００を容易に除去することができるのは勿論、テープ３００の使用量を顕著に減らすことができるので経済的である。
【００５５】
一方、テープ３００は、図９に示すように、所定間隔で形成された非粘着部３２０が一地点に位置するように巻回され、非粘着部３２０の両端に切断線が形成されていてもよい。巻回された非粘着部３２０は他の非粘着部３２０と粘着しないので、非粘着部３２０の一端に形成された切断線を容易に剥離することができ、粘着面を容易に露出させることができる。
【００５６】
また、切断線は非粘着部３２０の一端に形成されてもよいが、図９に示すように、非粘着部３２０の両端に切断線を形成する場合は、使用のためにテープ３００が巻回された方向とは無関係にどちらの方向でも粘着面を容易に露出させることができるという長所がある。
【００５７】
さらに、このような切断線は粘着面を露出させやすいという効果があるとともに、粘着力が低下したテープ３００を取り除く際にはさみやナイフ等の切断道具を使わなくても切断できるため便利であり、不注意による怪我を防止できるという効果もある。
【００５８】
一方、テープ３００は、汎用テープとは異なり、粘着面が外部に露出するように巻回されていてもよく、この場合、使用者が掃除をする際にテープを裏返して粘着面を露出させる手間を省くことができ、使用上の利便性を向上させることができる。
【００５９】
また、汎用テープは粘着面が外側に露出していない状態で連続的に巻回されているのに対し、図面には示していないが、上記テープ３００は粘着面が外側に露出するように積層され、粘着面には所定長さの非粘着部３２０が一地点に形成され、非粘着部３２０の両端には切断線が形成されていてもよい。
【００６０】
粘着面が外部に露出しているので、すでに説明したように、粘着面を露出させる手間を省くことができる。また、テープ３００をローラー１００に装着する際に、一地点に位置する非粘着部３２０と収容部１１１とを同一線上に位置させて固定部材２１０を作動させることによって、切断する位置を容易に把握することができる。さらに、テープ３００が積層され、切断線が形成されているので、使用済みのテープ３００を使用者が容易に切断することができる。
【００６１】
以上説明したように、本実施形態にかかるテープクリーナーは、外側面に収容部１１１が形成された中心軸１１０を中心に回転する円筒状のローラー１００と、収容部１１１に挿入可能に取り付けられた固定部材２１０を有するとともに中心軸１１０に嵌合される把持部２００と、ローラー１００の外側に装着されるテープ３００と、を備え、固定部材２１０を挿入して収容部１１１の一地点１１１ａに固定することにより、テープ３００が切断された位置を容易に把握することができる。
【００６２】
収容部１１１は、中心軸１１０の外側面から内側に向けて削成され、一地点１１１ａに向けて上方に行くほど小さくなる楔状に形成されて、固定部材２１０が一地点１１１ａに固定されるように誘導し、使用上の利便性を向上させるという効果を奏する。
【図１】
2015531262.tif 000003
【図２】
2015531262.tif 000004
【図３】
2015531262.tif 000005
【図４ａ】
2015531262.tif 000006
【図４ｂ】
2015531262.tif 000007
【図４ｃ】
2015531262.tif 000008
【図４ｄ】
2015531262.tif 000009
【図５】
2015531262.tif 000010
【図６】
2015531262.tif 000011
【図７】
2015531262.tif 000012
【図８】
2015531262.tif 000013
【図９】
2015531262.tif 000014
【国際調査報告】
2015531262.tif 000015
2015531262.tif 000016
2015531262.tif 000017
2015531262.tif 000018
2015531262.tif 000019
2015531262.tif 000020